(57)【特許請求の範囲】
【請求項１】
印刷用フィルムの表面に微細なラインピッチによる複数の微細線からなる微細線模様を印刷によって凹凸状のインク層として形成した後、成形品の外形を形成する金型のキャビティ内に凹凸状の微細線模様をなすインク層を向けて印刷用フィルムを設置する際、印刷用フィルムを平状な状態で金型内に設置して型締めした後、金型内に溶融樹脂を注入することにより、金型内のキャビティの形状に応じて印刷用フィルムを立体形状に熱変形しながら成形品を形成すると共に、この成形品の表面に印刷用フィルムの微細線模様に応じた凹凸状の模様を形成し、成形品を固化した後、金型を型開きして成形品を取り出した後、金型内に残した印刷用フィルムを次の成形に繰り返して使用することにより、同一の印刷用フィルムで複数の成形品の表面に微細線模様を形成するようにしたことを特徴とする微細線模様の成形方法。
【請求項２】
印刷用フィルムの表面に印刷によって形成した複数の微細線模様の各微細線は、線幅が３０μｍ〜２ｍｍ、ラインピッチが５０μｍ〜２ｍｍに形成されていることを特徴とする請求項１記載の微細線模様の成形方法。
【請求項３】
印刷用フィルムの耐熱温度が金型内に注入する溶融樹脂の成形樹脂温度よりも高い樹脂が選択され、この樹脂を印刷用フィルムとして使用することを特徴とする請求項１又は２記載の微細線模様の成形方法。
【請求項４】
成形品の表面に形成された絵柄は、印刷用フィルムの表面にインク層で描かれる絵柄を複数の部分に分割し、各部の面内に多数の微細線を所定ピッチで互いに平行に描き、このような微細線を各部の領域ごとに異なる角度で描いてなる微細線模様によって成形されたチェンジング柄であることを特徴とする請求項１、２及び３記載の微細線模様の成形方法。
【請求項５】
成形品の表面に形成された絵柄は、短線が直線方向に一定の間隔をあけて連続的に配列されてなる破線が傾斜角度を変えてパターン化された線画として描かれ、このパターン化された線画を組み合わせてなる微細線模様を印刷用フィルムの表面にインク層で形成し、この印刷用フィルムによって成形されたチェンジング柄であることを特徴とする請求項１、２及び３記載の微細線模様の成形方法。
【発明の詳細な説明】
【技術分野】
【０００１】
本発明は、成形品の表面に極めて精細な凹凸状の微細線による模様、絵柄、文字等の微細線模様を有する線画を形成する方法に関し、見る角度や方向を変えることによって線画の各部の反射光が変化するチェンジング画像にも適用することが可能な微細線模様の成形方法に関する。
【背景技術】
【０００２】
成形品の表面に、凹凸を有する模様、絵柄、文字等の凹凸模様を形成する加工方法としては、従来から彫刻金型を利用する方法が存在する。しかしながら、金型に凹凸模様を彫刻する場合、線幅（線の太さ）は約０．３ｍｍが限度であって、それよりも精細な微細線の彫刻は困難であり、しかも金型の費用が非常に高額になるという問題があった。
【０００３】
ところで、本出願人は、特許文献１に記載してあるように、多数の凹凸の線条からなる図柄を任意の形状の図柄とし、隣接する図柄の各部が互いに凹凸の線条の角度を変えて基盤に配置されたことにより、多数の凹凸の線条からなる図柄の各部が見る角度を変えることによって反射光を変化させる結果、図柄の印象が変化するというチェンジング効果を有する表示体を開発した。
【０００４】
ところが、特許文献１では、上記の表示体を、例えばスクリーン印刷で形成する場合、線条の太さ（線幅）を３０μｍ〜１ｍｍ、線条のピッチを６０μｍ〜２ｍｍとするため、金型に凹凸模様を彫刻する方法では、上記のような微細線を形成することは不可能である。
【０００５】
そこで、上記のような凹凸状の微細線を成形品の表面に形成する従来の技術として特許文献２の「凹凸模様付フィルム及びその製法」を検討する。この特許文献２の内容は、フィルムの表面に透明な紫外線硬化樹脂による転写用の凹凸模様と、その凹凸模様に施した転写用の印刷インク層を形成し、その凹凸模様の印刷インクを施した層をキャビティに向けて金型に配置し、インモールド成形を行った後、成形品から凹凸模様を有するフィルムを剥離することによりプラスチック成形品の表面に、紫外線硬化樹脂による印刷インク層を転写するものである。
【０００６】
ところが、このような技術では、透明な紫外線硬化樹脂による転写用の凹凸模様とその凹凸模様に施した転写用のインク層がプラスチック成形品に転写されて残存することになる。即ち、この転写方法は、インク層に形成されていた凹凸模様を成形品の表面に転移するものであり、成形品の表面にはインク層による凹凸模様が付着して形成されるため、このインク層が摩耗等によって損傷したり剥離するおそれがある。
【０００７】
また、上記のようにインク層を転写する方法によれば、転写をしたフィルムは成形品の表面に付着するため、成形の度に、転写用フィルムを新たに供給する必要がある。従って、複数個の成形品を製造する場合には、その都度、凹凸模様を印刷したフィルムを供給する必要があり、製造コストの面でも無駄が生じることになる。
【０００８】
なお、上記の特許文献１の他にも、見る角度や方向を変えることによって画像が変化するチェンジング画像の製造方法が種々開発されている。ところが、画像内の各部が見る角度を変えることによって反射光の輝度を変えるチェンジング効果を得るには、成形品の表面に、線幅が３０μｍ〜２ｍｍ、ラインピッチが５０μｍ〜２ｍｍ程度の微細線を形成する必要があるため、従来の彫刻金型による成形方法では実施することが不可能であった。
【０００９】
しかも、成形品の耐久性等を考慮すると、成形品の表面に形成する凹凸状の微細線は、上記のように成形品の表面に印刷インク層を転写させるのではなく、成形品の表面に凹凸形状として直接形成するのが望ましい。
【先行技術文献】
【特許文献】
【００１０】
【特許文献１】実用新案登録第３１２２４６３号公報
【特許文献２】特開平６−７２０１３号公報
【発明の概要】
【発明が解決しようとする課題】
【００１１】
本発明は、上記の事情に鑑みてなされたものであり、成形品の表面に極めて精細な凹凸状の微細線による模様、絵柄、文字等の微細線模様を有する線画を形成し、見る角度や方向を変えることによって線画の各部の反射光が変化するチェンジング効果を発揮するようにした微細線模様の成形方法を提供することを目的とする。
【課題を解決するための手段】
【００１２】
上記の目的を達成するために、本発明における請求項１の微細線模様の成形方法は、印刷用フィルムの表面に微細なラインピッチによる複数の微細線からなる微細線模様を印刷によって凹凸状のインク層として形成した後、成形品の外形を形成する金型のキャビティ内に凹凸状の微細線模様をなすインク層を向けて印刷用フィルムを設置する際、印刷用フィルムを平状な状態で金型内に設置して型締めした後、金型内に溶融樹脂を注入することにより、金型内のキャビティの形状に応じて印刷用フィルムを立体形状に熱変形しながら成形品を形成すると共に、この成形品の表面に印刷用フィルムの微細線模様に応じた凹凸状の模様を形成し、成形品を固化した後、金型を型開きして成形品を取り出した後、金型内に残した印刷用フィルムを次の成形に繰り返して使用することにより、同一の印刷用フィルムで複数の成形品の表面に微細線模様を形成するようにしたことを特徴とする。
【００１３】
また、本発明による請求項２の微細線模様の成形方法は、請求項１において、印刷用フィルムの表面に印刷によって形成した複数の微細線模様の各微細線は、線幅が３０μｍ〜２ｍｍ、ラインピッチが５０μｍ〜２ｍｍに形成されていることを特徴とする。
【００１４】
また、本発明による請求項３の微細線模様の成形方法は、請求項１又は２において、印刷用フィルムの耐熱温度が金型内に注入する溶融樹脂の成形樹脂温度よりも高い樹脂が選択され、この樹脂を印刷用フィルムとして使用することを特徴とする。
【００１５】
また、本発明による請求項４の微細線模様の成形方法は、請求項１、２又は３において、成形品の表面に形成された絵柄は、印刷用フィルムの表面にインク層で描かれる絵柄を複数の部分に分割し、各部の面内に多数の微細線を所定ピッチで互いに平行に描き、このような微細線を各部の領域ごとに異なる角度で描いてなる微細線模様によって成形されたチェンジング柄であることを特徴とする。
【００１６】
さらに、本発明による請求項５の微細線模様の成形方法は、請求項１、２又は３において、成形品の表面に形成された絵柄は、短線が直線方向に一定の間隔をあけて連続的に配列されてなる破線が傾斜角度を変えてパターン化された線画として描かれ、このパターン化された線画を組み合わせてなる微細線模様を印刷用フィルムの表面にインク層で形成し、この印刷用フィルムによって成形されたチェンジング柄であることを特徴とする。
【発明の効果】
【００１７】
本発明の微細線模様の成形方法によれば、印刷用フィルムの表面に形成した微細線模様をなすインク層を金型の成形面の一部として使用することができ、成形後の成形品には、印刷用フィルムの表面の凹凸状のインク層に応じた凹凸状の微細線模様が形成される。この成形品に形成された微細線模様は、インク層の微細な凹凸形状によって形成された凹凸状の微細線模様となる。
【００１８】
従って、本発明による成形品に形成された微細線模様は、成形品それ自体の表面が凹凸状に形成されたものであるため、従来の転写成形のようにインク層が剥離するような現象が生じることなく、耐久性にも優れた成形品として使用することが可能となる。
【００１９】
しかも、本発明による、成形品の表面に形成された微細線模様は、印刷によって形成された微細な線条による凹凸状の模様であり、線幅が３０μｍ〜２ｍｍ、ラインピッチが５０μｍ〜２ｍｍから形成された微細線模様とすることによって、見る角度や方向を変えることによって画像の各部の反射光が変化するチェンジング柄の形成にも適するものとなる。
【００２０】
さらに、本発明において、一度の成形の後、印刷用フィルムの表面に微細線模様をなすインク層を残した状態で、この印刷用フィルムを次の成形に繰り返して使用することにより、複数の成形品の表面に微細線模様を形成することができるため、成形コストの低減に有益である。
【００２１】
また、上記のように、印刷用フィルムを繰り返して上記の成形に使用可能とするため、印刷用フィルムの耐熱温度が成形樹脂温度よりも高いものを選択する必要がある。こうすることによって、印刷用フィルムが成形樹脂温度によって溶かされたりせず、再度の使用に供給することが可能となり、同一の印刷用フィルムを繰り返して成形に使用することが可能となる。
【００２２】
本発明によって成形品に形成される微細線としては、直線又は曲線による微細線模様、或いは、見る角度を変えることによって反射する面の輝度が部分的に変化したり、見る角度を変えることによって異なる画像が見えたり消えたりするチェンジング柄として適用可能である。また、上記のような微細線を用いて形成される成形品としては、銀行カード、キャッシュカード、通行券、本人を証明するカード、ＩＣタグ等の平面形状のプラスチック製カードのほか、一部または全部に湾曲面又は曲面を有する成形品にも適用可能である。
【００２３】
従って、本発明による成形品の用途としては、上記のカード状の成形品のほか、コンパクトケース、自動車用パネル、携帯電話やスマートフォン用のケース、さらには種々の電化製品の筐体やケース等、本発明による印刷用フィルムを適用して金型成形が可能な成形品の表面に適用可能である。また、本発明による微細線模様の美的特性を利用することによって樹脂製の平面または立体の美術工芸品等に適用することも可能である。
【００２４】
さらに、本発明によれば、微細線の組み合わせによって模造が困難な偽造防止用の画像に適用することが可能である。このため、例えば特許第４３９５５８６号公報に記載されている偽造防止印刷物のように、銀行券、株券、パスポート、有価証券、カード、商品のタグ等の偽造、変造を防止する必要性のある印刷物を樹脂成形に適用する場合であっても、本発明の微細線模様の成形方法ならば可能である。
【図面の簡単な説明】
【００２５】
【図１】（ａ）は本発明における実施例１の微細線模様を成形品の表面に形成した状態を示す平面図であり、（ｂ）は（ａ）の一部を拡大した図である。
【図２】本発明における実施例１の微細線模様をスクリーン印刷によって印刷用フィルムの表面に形成した平面図である。
【図３】（ａ）〜(ｆ)は、本発明による実施例１の成形方法を示す金型の断面図である。
【図４】本発明による実施例において、印刷用フィルムに印刷した凹凸状のインク層で成形品の表面に凹形状の微細線模様を形成した状態を示す断面図であり、(ａ)は成形時の状況であり、(ｂ)は成形後の状況であり、(ｃ)は成形品の表面を示す断面図である。
【図５】（ａ1）〜(ｄ1)は、本発明の実施例２に関する線画及びパターン線画を示す平面図であり、（ａ２）〜(ｄ２)は（ａ1）〜(ｄ1)の要部を拡大した平面図である。
【図６】（ａ）、(ｂ)は、図５に示すパターン線画によって形成されたチェンジング柄が見る角度を変えることによって変化する状態を示す平面図である。
【発明を実施するための形態】
【００２６】
以下、本発明の実施例について図面を参照しながら説明する。
【実施例１】
【００２７】
図１（ａ）には、本実施例による成形品１の具体例として、周囲が裏側に向けて湾曲した平面形状の表面２に草花の絵柄を微細線模様３として形成してなるケース蓋を図示している。ただし、この図の成形品１は本発明の一例であって、射出成形によって溶融樹脂を金型１３で成形することが可能な成形品であれば、その表面２に本発明による微細線模様３を形成することが可能である。
【００２８】
本実施例では、図１に示すような微細線模様３をコンピュータの画像編集ソフトで描き、この微細線模様３を後述する印刷用フィルム６の表面６ａにスクリーン印刷の手法で製版を行い、この製版の上にインキやペーストを載せて印刷を行うようにしている。
【００２９】
このようなスクリーン印刷において、被印刷面を構成する印刷用フィルム６としては、ポリエチレン、ポリプロピレン、ポリスチレン、ポリカーボネート、ポリフェニレンスルファイド、ポリイミド、ポリエーテルエーテケトン、ポリアミド、アクロニトリルブタジエンスチレン、アクリロニトリルスチレン、メタクリル等の樹脂製フィルムを使用する。
ただし、後述するように、印刷用フィルム６として、いずれの樹脂を使用するかは、後述する成形樹脂温度との関係で選択すべきである。
【００３０】
また、本実施例では、成形後の微細線模様３においてチェンジング効果を発揮するため、図１(ａ)の成形品１の絵柄５の一部を拡大した図１(ｂ)に示すように、絵柄５を複数の部分３ａに分割し、各部分３ａの境界３ｂを線画で形成すると共に、各部分３ａの面内に多数の微細線４を所定ピッチで互いに平行に描き、このような微細線４を各部分３ａの領域ごとに異なる角度で描いてなる微細線模様３を形成している。なお、本発明に適用し得る微細線４としては、直線だけではなく曲線にも適用可能であり、さらに実線だけではなく、点線や破線にも適用可能である。
【００３１】
また、スクリーン印刷用インキの耐熱性を確保するため、紫外線硬化インキや酸化重合インキを用いてスクリーン印刷を行い、微細線模様３を印刷フィルム６の面から例えば１０μｍ程度の盛り量を有する断面山形状の凸状インク層７として形成する。
【００３２】
なお、本実施例においては、印刷用フィルム６上にスクリーン印刷、オフセット印刷、その他の印刷方法を用いて、上記の微細線模様３を描くようにしてもよい。ただし、いずれの印刷法を用いた場合でも、成形後のチェンジング効果を発揮するため、印刷用フィルム６の表面に印刷する複数の微細線模様３の各微細線４は、線幅が３０μｍ〜２ｍｍ、ラインピッチが５０μｍ〜２ｍｍとして形成する必要がある。
【００３３】
また、上記のように、インク層７で凸状の微細線模様３を形成した印刷用フィルム６を用いて成形品１の表面２（図１（ａ）又は図３（ｄ）参照）に微細線模様３を形成するには、図３(ａ)に示すように、成形品１の外形を形成する金型１３のキャビティ内に凸状の微細線模様３をなすインク層７を向けて印刷用フィルム６を設置する。なお、金型１３は固定型１３ａと移動型１３ｂとの間に成形品１を成形するためのキャビティ１１を形成している。
【００３４】
また、印刷用フィルム６の固定方法として、金型１３の周辺の面に両面テープ（不図示）等を用いて接着するほか、印刷用フィルム６の繰り返し使用を考慮して、図３（ａ）、(ｂ)に示すように、金型１３の周辺に設けたピン８に、図２に示す印刷用フィルム６の周辺に形成したピン穴９を挿入し、下記の型締めによって固定するとよい（図３(ｃ)参照）。
【００３５】
次いで、図３(ｃ)に示すように、金型１３の型締め後、金型１３の流路１０から溶融樹脂１２を金型１３内のキャビティ１１に注入し、金型１３内の成形品１の表面２に微細線模様３をなすインク層７を対面させて印刷用フィルム６を密着させた状態で溶融樹脂１２を固化させる。
【００３６】
本実施例に使用する成形品の素材、即ち溶融樹脂の例としては、ポリプロピレン、ポリエチレンテレフタレート、アクロニトリルブタジエンスチレン、アクリロニトリルスチレン、ポリカーボネート等を使用する。
【００３７】
なお、上記の成形前において、印刷用フィルム６は平状であるが、上記の溶融樹脂１２に対面させることにより、キャビティ１１の形状に応じて湾曲形状などの立体形状に熱変形する。
【００３８】
その後、図３(ｄ)に示すように、金型１３の型開き後に、金型１３の成形面に応じて湾曲状に変形した印刷用フィルム６が金型１３の成形面１３ｃに付着して残存する一方、印刷用フィルム６から剥離した成形品１を取り出すことが可能となる。
【００３９】
このような成形において、印刷用フィルム６の表面６ａに剥離剤を塗布すると、金型１３の型開き後に、印刷用フィルム６の表面６ａから成形品１が離脱しやすくなり、金型１３の成形面１３ｃに付着した印刷用フィルム６を、それ以降の成形に繰り返して使用することが可能となる。
【００４０】
本実施例では、上記のように、同一の印刷用フィルム６を用い、繰り返して複数の成形品１に対する表面加工を可能とするものである。そのためには、印刷用フィルム６が成形樹脂温度によって溶かされないように、印刷用フィルム６の耐熱温度が金型１３内に注入する溶融樹脂１２の成形樹脂温度よりも高いものを選択し、これを印刷用フィルム６として使用する必要がある。
【００４１】
具体的には、下記の印刷用フィルム６に使用する樹脂の耐熱温度と、溶融樹脂１２の成形温度を比較し、印刷用フィルム６の耐熱温度が溶融樹脂１２の成形樹脂温度よりも高いものを選択するとよい。
【００４２】
印刷用フィルム６に使用する樹脂の耐熱温度の例をあげると、メタクリル９０℃、ポリスチレン１００℃、ポリエチレン１１０℃、アクロニトリルブタジエンスチレン１１０℃、アクリロニトリルスチレン１１０℃、ポリプロピレン１４０℃、ポリカーボネート１４０℃、ポリイミド２３０℃、ポリフェニレンスルファイド２４０℃、ポリアミド２５０℃、ポリエーテルエーテケトン３００℃である。
【００４３】
また、溶融樹脂１２の成形温度の例をあげると、ポリプロピレン１８０〜２３０℃、アクロニトリルブタジエンスチレン２２０〜２６０℃、アクリロニトリルスチレン２２０〜２６０℃、ポリエチレンテレフタレート２３０〜２８０℃、ポリカーボネート２４０〜３００℃である。
【００４４】
上記の成形によって、図４（ａ）〜（ｃ）に示すように、印刷用フィルム６の表面６ａに形成した微細線模様３をなすインク層７を金型１３の成形用型として使用することができ、成形後の成形品１には、印刷用フィルム６の表面２の凹凸状のインク層７に応じた凹凸状の微細線模様３が形成される。
【００４５】
上記のように成形品１の表面２に形成された微細線模様３は、スクリーン印刷によって形成された微細な線条による凹凸状の模様であり、線幅が３０μｍ〜２ｍｍ、ラインピッチが５０μｍ〜２ｍｍから形成された微細線模様３とすることによって、図１(ｂ)のＡ、Ｂや図４（ｃ）のＣで示すように、見る角度や方向を変えることによって画像の各部の反射光が変化するチェンジング柄の形成にも適するものとなる。
【００４６】
特に、本実施例では、絵柄５を複数に分割した各部分３ａの面内に多数の微細線４を所定ピッチで互いに平行に描き、このような微細線４を各部分３ａの領域ごとに異なる角度で描いた微細線模様３を形成しているため、絵柄５を見る角度や方向を変えることによって各部分３ａからの反射光が変化し、各部分３ａごとに輝度が増したり減ったりするというチェンジング柄を表現することが可能となる。
【００４７】
また、本実施例では、一度の成形の後、印刷用フィルム６の表面２に微細線模様３をなすインク層７を残した状態で、この印刷用フィルム６を繰り返して成形に使用することが可能であり、成形コストの低減にも有益となる。
【実施例２】
【００４８】
上記の実施例１では、絵柄を見る角度や方向を変えることによって、絵柄を複数に分割した各部分からの反射光が変化して輝度が増したり減ったりするというチェンジング柄に適用した例を示したが、実施例２では、本件特許出願人の先行技術である特願２０１４-０１２０４９号に記載のように、パターン線画を用いた微細線模様を成形品に形成することによって、成形品を見る角度や方向を変えることによって絵柄が変化するチェンジング柄にも適用可能である。
【００４９】
即ち、本実施例によれば、成形品を見る角度や方向を変えることによって、絵柄の内部に描かれた複数の画像のうち、見える画像と見えない画像が変化するチェンジング柄を成形することが可能となる。その例として、本実施例では、実施例１で説明したものと同様の印刷用フィルム６の面上に、図５(ｄ１)(ｄ２)に示すパターン線画１９を用いた微細線模様を形成することによって、図６（ａ）(ｂ)のように、成形品を見る角度や方向を変えることによって絵柄が変化するチェンジング柄を形成する。
【００５０】
そのようなチェンジング柄の具体例として、本実施例では、図５(ａ１)(ａ２)に示す線画１５ａをベース柄１８ａとし、図５(ｂ１)（ｂ２）に示す線画１５ｂを第１柄１８ｂとし、図５(ｃ１)(ｃ２)に示す線画１５ｃを第２柄１８ｃとする。これらのいずれの線画１５ａ、１５ｂ、１５ｃもまた、図５（ａ２）〜(ｃ２)に示すように、短線１６ａ、１６ｂ、１６ｃが直線方向に一定の間隔１７をあけて連続的に配列されてなる破線形状１４ａ、１４ｂ、１４ｃを短線１６ａ、１６ｂ、１６ｃの幅方向に一定の長さの間隔（ラインピッチ）をあけて連続的に配列した線画１５ａ、１５ｂ、１５ｃとして形成する。
【００５１】
上記の各線画１５ａ、１５ｂ、１５ｃにおいて、各短線１６ａ、１６ｂ、１６ｃの長さや間隔３等の数値について例示すると、コンピュータを用いた作図の段階で、単一の各短線２の線幅が３０μｍ〜２ｍｍ、長さが０．４ｍｍ〜０．５ｍｍ、直線方向における短線と短線の間隔が０．２ｍｍ、短線の幅方向における短線と短線のラインピッチが０．１ｍｍとなるようにする。
【００５２】
ただし、本実施例において、図５（ａ１）（ａ２）に示す線画１５ａ（ベース柄１８ａ）を構成する各短線１６ａは、水平線を基準に反時計回りに３０°傾斜（即ち、右方向に傾斜）してあり、図５(ｂ１) (ｂ２)の線画１５ｂ（第１柄１８ｂ）を構成する各短線１６ｂは垂直方向に形成してあり、図５(ｃ１) (ｃ２)に示す線画１５ｃ（第２柄１８ｃ）を構成する各短線１６ｃは、水平線を基準に時計回りにα＝３０°傾斜（即ち、左方向に傾斜）した状態に形成している。
【００５３】
次いで、本実施例においては、図５(ａ１) (ａ２)に示すベース柄１８ａを形成する線画１５ａと、図５(ｂ１)(ｂ２)に示す第１柄１８ｂを形成する線画１５ｂと、図５(ｃ１)(ｃ２)に示す第２柄１８ｃを形成する線画１５ｃとを組み合わせることによって、図５(ｄ１)(ｄ２)に示すパターン線画１９を形成する。このパターン線画１９は、上記のように複数の短線１６ａ、１６ｂ、１６ｃからなるパターンを連続的に配列してなるものである。
【００５４】
次いで、上記の３態様の線画１５ａ、１５ｂ、１５ｃを用いて具体的な絵柄を描いた実施態様について述べる。図５(ａ１)は背景となるベース柄１８ａであり、線画１５ａを背景となる領域全体に形成する。また、図５(ｂ１)は第１柄８ｂであり、各短線１６ｂが垂直方向に形成された線画１５ｂを、例として「Ａ」の文字に形成したものである。
【００５５】
さらに、図５(ｃ１)は第２柄１８ｃであり、この線画１５ｃを例として「ハート形状」に形成したものである。そして、これらの線画１５ａ、１５ｂ、１５ｃを組み合わせることによって、図５(ｄ１)に示す合成した合成線画１８ｄが形成される。
【００５６】
本実施例では、コンピュータの画像編集ソフトで、図５(ｄ１)に示すような合成した合成線画１８ｄを用いて、通常のスクリーン印刷の製版を行い、この製版の上にインキやペーストを載せて、実施例１のように印刷用フィルム６に対してスクリーン印刷を行う。
【００５７】
このような印刷によって印刷用フィルム６の表面に微細線模様として合成線画１８ｄをインク層として形成し、実施例１のように成形品１の表面２に、図５（ｄ１）に示すような微細線模様（合成線画１８ｄ）をチェンジング柄として形成すると、その見る角度や方向を変えることによって、図６(ａ)及び(ｂ)に示すように、見える絵柄が変化するチェンジング効果を得ることが可能となる。
【００５８】
即ち、図６（ａ）に示すように、ベース柄１８ａを背景にして「Ａ」の文字を表す第１柄１８ｂを鮮明に見たり、図６(ｂ)に示すように、「ハート形状」を表す第２柄１８ｃを鮮明に見ることができるというように、見る角度を変えることによって、成形品１の表面に異なる画像が見えたり消えたりするチェンジング柄として適用することが可能である。
【００５９】
なお、上記のチェンジング柄は、一例を示すものであって、微細線を実線にしたり、破線にしたり、さらにその実線又は破線を複雑に組み合わせることによって、様々な絵柄を表現したチェンジング柄として適用することも可能である。
【産業上の利用可能性】
【００６０】
本発明の微細線模様の成形方法は、成形品の表面に極めて精細な凹凸状の微細線による模様、絵柄、文字等（微細線模様）を有する線画を形成し、見る角度や方向を変えることによって線画の各部の反射光が変化するチェンジング効果を発揮するようにした微細線模様の成形方法として利用することが可能である。
【符号の説明】
【００６１】
１  成形品
２  成形品の表面
３  微細線模様
３a  微細線模様の部分
３ｂ  微細線模様の境界
４  微細線
５  絵柄
６  印刷用フィルム
６ａ  印刷用フィルムの表面
７  インク層
８  ピン
９  ピン穴
１０  流路
１１  キャビティ
１２  溶融樹脂
１３  金型
１３ａ  固定型
１３ｂ  移動型
１４ａ、１４ｂ、１４ｃ  破線形状
１５ａ、１５ｂ、１５ｃ  線画
１６ａ、１６ｂ、１６ｃ  短線
１７  直線方向の間隔
１８ａ  ベース柄
１８ｄ  第１柄
１８ｃ  第２柄
１８ｄ  合成線画
１９  パターン線画
Ａ、Ｂ、Ｃ  見る角度や方向の変化
【要約】
【課題】成形品の表面に極めて精細な凹凸状の微細線による微細線模様を有する線画を形成し、見る角度や方向を変えることによって線画の各部の反射光が変化するチェンジング効果を発揮するようにした微細線模様の成形方法を提供する。
【解決手段】印刷用フィルムの表面に微細なラインピッチによる複数の微細線からなる微細線模様を印刷によって凹凸状のインク層として形成した後、成形品の外形を形成する金型のキャビティ内に凹凸状の微細線模様をなすインク層を向けて印刷用フィルムを設置し、金型の型締め後、溶融樹脂を金型内に注入し、金型内の成形品の表面に微細線模様をなすインク層を対面させて印刷用フィルムを密着させた状態で樹脂を固化させ、型開き後に成形品を取出した後、金型内に設置してある印刷用フィルムを次の成形に繰り返して使用することにより、同一の印刷用フィルムで複数の成形品の表面に微細線模様を形成するようにした。
【選択図】図１【図１】
0005750747.tif 000002
【図２】
0005750747.tif 000003
【図３】
0005750747.tif 000004
【図４】
0005750747.tif 000005
【図５】
0005750747.tif 000006
【図６】
0005750747.tif 000007